(57)【要約】【課題】袋状のウェットティッシュの収納容器の取出口に取付け使用する、着脱可能で気密性に優れ、何度使用しても気密性が低下しないウェットティッシュ収納容器の取出口カバーを提供する。【解決手段】袋状の収納容器５０の上面５４に設けられたウェットティッシュの取出口５２に取付け使用する、着脱可能な取出口カバー１であって、中央部に前記取出口５２よりも僅かに小さい開口部１３を備え開口部周縁部が接着された上下２つの挟持体で前記取出口５２を取り囲むように挟み込み密着固定する、着脱可能な取付具１１と、前記開口部１３を開閉可能に覆うフラップ７と、前記フラップ７を回動可能に前記上挟持板５に連結する連結具９と、を含み、前記上挟持板５は磁石２３を、前記フラップ７は鉄板２７を備え、前記フラップ７を閉めたとき、前記フラップ７と前記上挟持板５とは磁力を利用して互いに密着する。【選択図】図３
2011111195.tif 000002
【特許請求の範囲】
【請求項１】
袋状の収納容器の上面に設けられたウェットティッシュの取出口に取付け使用する、着脱可能な取出口カバーであって、
中央部に前記取出口よりも僅かに小さい開口部を備え開口部周縁部が接着された上下２つの挟持体で前記取出口を取り囲むように挟み込み密着固定する、着脱可能な取付具と、
前記開口部を開閉可能に覆うフラップと、
前記フラップを回動可能に前記上挟持体に連結する連結具と、を含み、
前記フラップ及び前記上挟持体は、各々磁石と磁石又は磁石と磁石に吸着する金属体を備え、前記フラップを閉めたとき、前記フラップと前記上挟持体とは磁力により互いに密着することを特徴とするウェットティッシュ収納容器の取出口カバー。
【請求項２】
前記上挟持体は、開口部を囲むように配置された磁石を備え、
前記下挟持体及び前記フラップは、少なくとも前記上挟持体の磁石に対向する位置に磁石又は磁石に吸着する金属体を備え、
前記取付具を取出口に取付けたとき、前記上挟持体及び前記下挟持体は、磁力により共に前記収納容器に密着し、前記フラップを閉めたとき、前記フラップと前記上挟持体とは磁力により互いに密着することを特徴とする請求項１に記載のウェットティッシュ収納容器の取出口カバー。
【請求項３】
前記上挟持体は、開口部を囲むように配置された磁石に吸着する金属体を備え、
前記下挟持体及び前記フラップは、少なくとも前記上挟持体の金属体に対向する位置に磁石を備え、
前記取付具を取出口に取付けたとき、前記上挟持体及び前記下挟持体は、磁力により共に前記収納容器に密着し、前記フラップを閉めたとき、前記フラップと前記上挟持体とは磁力により互いに密着することを特徴とする請求項１に記載のウェットティッシュ収納容器の取出口カバー。
【請求項４】
前記上挟持体、下挟持体及びフラップは、可撓性を有する合成樹脂、ゴム又は熱可塑性エラストマーで形成され、前記磁石又金属体は、前記上挟持体、下挟持体及びフラップに埋め込まれていることを特徴とする請求項１から３のいずれか１項に記載のウェットティッシュ収納容器の取出口カバー。
【請求項５】
前記上挟持体、下挟持体及びフラップは、ゴム磁石、プラスチック磁石又はゴム磁石、プラスチック磁石の表面が合成樹脂でコーティングされた材料で形成されていることを特徴とする請求項１から３のいずれか１項に記載のウェットティッシュ収納容器の取出口カバー。
【発明の詳細な説明】
【技術分野】
【０００１】
本発明は、使い捨てウェットティッシュなど袋状の収納容器の上面に設けられたウェットティッシュの取出口に取付け使用するウェットティッシュ収納容器の取出口カバーに関する。
【背景技術】
【０００２】
使い捨てのウェットティッシュは、薄い合成樹脂フィルムで形成された袋状の収納容器内に、薬剤、水等を含浸させた不織布からなるウェットティッシュが収納され、収納容器の上面にはウェットティッシュを取出すための取出口が設けられ、この取出口は粘着剤が塗布された開閉フラップで開閉自在に覆われている。このような使い捨てのウェットティッシュは、ケースに詰め替え使用するウェットティッシュと異なり、ウェットティッシュを使い切ると袋状の収納容器は廃棄される。
【０００３】
使い捨てのウェットティッシュは、収納容器が薄い合成樹脂フィルムで形成されているので、使用に伴い取出口に皺が出来たり、波打ったり、開閉フラップの粘着剤にごみ、ほこりが付着し、開閉フラップを締めても取出口を密閉することができず、ウェットティッシュが乾燥する又はごみが付くことが従来から指摘されており、これを解決すべく多くの発明がなされている。例えば取出口が設けられた収納容器の上面の下面に撓みシートを貼付け、取出口の剛性を高めたウェットティッシュ収納容器がある（例えば特許文献１参照）。また硬質プラスチックで成形された開閉可能な蓋ユニットがある（例えば特許文献２参照）。また取出口に取付け使用する着脱式の取り出しデバイスがある（例えば特許文献３参照）。
【先行技術文献】
【特許文献】
【０００４】
【特許文献１】特開２００５−２５５２１３号公報
【特許文献２】特開２００１−２２５８８０号公報
【特許文献３】特表平１１−５０５７４５号公報
【発明の概要】
【発明が解決しようとする課題】
【０００５】
特許文献１に記載の技術では、開閉フラップの粘着剤にごみ、ほこりが付着し密閉性が低下することを解決できない。特許文献２に記載の蓋ユニットは、しっかりとした部材で構成され、十分な気密性を備えると思われるが、収納容器に接着して使用する必要があり、使い捨てのウェットティッシュに使用すると収納容器と共に廃棄する必要があり不経済である。特許文献３に記載の取り出しデバイスは、着脱式ゆえ使い捨てのウェットティッシュにも好適に使用することができるが、袋状の収納容器内に入り込むフランジと円筒部に設けられた溝とで取出口周縁部を挟み固定する構造であり、この部分のシール性、固定具合が懸念される。別の実施形態では、補強板を同時に挟み込む例が示されている。補強板を使用すれば、シール性が高まりかつしっかりと固定できるが、別途補強板が必要となり部材が多くなる。さらに特許文献３に記載の取り出しデバイスは、フランジを袋状の収納容器内に入れるために取出口に切込み線を設けており、市販の使い捨てのウェットティッシュにそのまま適用することはできない。また蓋がキャップ方式ゆえ張り出しており邪魔になる。
【０００６】
本発明の目的は、袋状のウェットティッシュの収納容器の取出口に取付け使用する、着脱可能で気密性に優れ、何度使用しても気密性が低下しないウェットティッシュ収納容器の取出口カバーを提供することである。さらに構造が簡単で薄く、かばん等に入れて携行するときもじゃまとならないウェットティッシュ収納容器の取出口カバーを提供する。
【課題を解決するための手段】
【０００７】
本発明は、袋状の収納容器の上面に設けられたウェットティッシュの取出口に取付け使用する、着脱可能な取出口カバーであって、中央部に前記取出口よりも僅かに小さい開口部を備え開口部周縁部が接着された上下２つの挟持体で前記取出口を取り囲むように挟み込み密着固定する、着脱可能な取付具と、前記開口部を開閉可能に覆うフラップと、前記フラップを回動可能に前記上挟持体に連結する連結具と、を含み、前記フラップ及び前記上挟持体は、各々磁石と磁石又は磁石と磁石に吸着する金属体を備え、前記フラップを閉めたとき、前記フラップと前記上挟持体とは磁力により互いに密着することを特徴とするウェットティッシュ収納容器の取出口カバーである。
【０００８】
また本発明は、前記ウェットティッシュ収納容器の取出口カバーにおいて、前記上挟持体は、開口部を囲むように配置された磁石を備え、前記下挟持体及び前記フラップは、少なくとも前記上挟持体の磁石に対向する位置に磁石又は磁石に吸着する金属体を備え、前記取付具を取出口に取付けたとき、前記上挟持体及び前記下挟持体は、磁力により共に前記収納容器に密着し、前記フラップを閉めたとき、前記フラップと前記上挟持体とは磁力により互いに密着することを特徴とする。
【０００９】
また本発明は、前記ウェットティッシュ収納容器の取出口カバーにおいて、前記上挟持体は、開口部を囲むように配置された磁石に吸着する金属体を備え、前記下挟持体及び前記フラップは、少なくとも前記上挟持体の金属体に対向する位置に磁石を備え、前記取付具を取出口に取付けたとき、前記上挟持体及び前記下挟持体は、磁力により共に前記収納容器に密着し、前記フラップを閉めたとき、前記フラップと前記上挟持体とは磁力により互いに密着することを特徴とする。
【００１０】
また本発明は、前記ウェットティッシュ収納容器の取出口カバーにおいて、前記上挟持体、下挟持体及びフラップは、可撓性を有する合成樹脂、ゴム又は熱可塑性エラストマーで形成され、前記磁石又金属体は、前記上挟持体、下挟持体及びフラップに埋め込まれていることを特徴とする。
【００１１】
また本発明は、前記ウェットティッシュ収納容器の取出口カバーにおいて、前記上挟持体、下挟持体及びフラップは、ゴム磁石、プラスチック磁石又はゴム磁石、プラスチック磁石の表面が合成樹脂でコーティングされた材料で形成されていることを特徴とする。
【発明の効果】
【００１２】
本発明に係るウェットティッシュ収納容器の取出口カバーは、上下の挟持体でウェットティッシュの取出口を取り囲むように挟み込み密着固定する取付具を備えるので、取出口カバーを取出口に対して気密可能に取付けることができる。またフラップは、磁石を用いて上挟持体に密着するので、フラップを閉めたとき収納容器の気密性が保持されると共に何度使用しても気密性が低下することはない。これらによりウェットティッシュを乾燥させることなく保管することができる。また取出口カバーは、構造が非常に簡単で厚さが薄く、取出口に取出口カバーを取付けたときの張り出しが非常に少なく、携帯用のウェットティッシュに好適に使用することができる。さらに本発明に係るウェットティッシュ収納容器の取出口カバーは着脱可能なので、使い捨てウェットティッシュに使用しても廃棄する必要がなく経済的である。
【００１３】
また本発明によれば、上挟持体とフラップのみならず、上挟持体と下挟持体とでウェットティッシュの取出口を取り囲むように挟み込むとき磁石を利用するので、取出口カバーを取出口に取付けたときの気密性をより高めることができる。
【００１４】
また本発明によれば、磁石は、上挟持体、下挟持体及びフラップに埋め込まれているので、ウェットティッシュに含浸する薬剤、水及び空気と触れることがない。このため錆が発生せず、耐久性に優れると共に見た目もよい。
【００１５】
また本発明によれば、上挟持体、下挟持体及びフラップは、ゴム磁石、プラスチック磁石又はゴム磁石、プラスチック磁石の表面が合成樹脂でコーティングされた材料で形成することもできるので、取出口カバーを安価に又簡単に製造することができる。
【図面の簡単な説明】
【００１６】
【図１】本発明の第１実施形態としてのウェットティッシュ収納容器の取出口カバー１の斜視図である。
【図２】図２（ａ）は図１のウェットティッシュ収納容器の取出口カバー１のフラップ７の横断面図、（ｂ）は取出口カバー１の上挟持板５の横断面図、（ｃ）は取出口カバー１の下挟持板３の横断面図である。
【図３】図１のウェットティッシュ収納容器の取出口カバー１をウェットティッシュ収納容器５０に取付けた状態を示す断面図である。
【発明を実施するための形態】
【００１７】
図１は、本発明の第１実施形態としてのウェットティッシュ収納容器の取出口カバー１の斜視図である。図２（ａ）はウェットティッシュ収納容器の取出口カバー１のフラップ７の横断面図、（ｂ）は取出口カバー１の上挟持板５の横断面図、（ｃ）は取出口カバー１の下挟持板３の横断面図である。図３は、ウェットティッシュ収納容器の取出口カバー１をウェットティッシュ収納容器５０に取付けた状態を示す断面図である。なお図１から図３において、必ずしも全部が同一縮尺で描かれているわけでない。
【００１８】
ウェットティッシュ収納容器の取出口カバー１（以下、単に取出口カバー１と記す）は、合成樹脂フィルムで形成された使い捨てウェットティッシュ収納容器５０（以下、単に収納容器５０と記す）のウェットティッシュの取出口５２に、従来の粘着剤を備える開閉フラップに代え、取付け使用する取出口カバー１であり、収納容器５０の取出口５２に取り付けるための取付具１１と、取出口５２を覆う開閉自在なフラップ７と、フラップ７を取付具１１に連結する連結具９とを含む。
【００１９】
取付具１１は、収納容器５０の上面５４に設けられた取出口５２から挿入され、取出口近傍の上面の裏面５６に密着する下挟持板３、取出口近傍の上面の表面５８に密着する上挟持板５を備える。下挟持板３と上挟持板５とは、図３に示すように上下に重ね合わされた状態で開口部周縁部１９のみが接着され、この２つの挟持板で取出口近傍の収納容器５０を挟み込むことで取出口カバー１を取出口５２に固定することができる。図２中（ｂ）（ｃ）の破線と内側の線とで囲まれた部分が、接着された部分である。
【００２０】
下挟持板３は、可撓性を有する薄い板状の部材からなり、大略的には取出口５２とほぼ同じ形状で、大きさは取出口５２よりも大きい。中央には取出口５２よりも僅かに小さい取出口５２と同じ形状の開口部１３が設けられている。さらに長手方向、短手方向に直交するように突起部１５、１７が一体的に設けられている。取付具１１を取出口５２に取り付けるとき、下挟持板３を折り曲げるようにして取出口５２内に挿入する必要があり、このとき突起部１５、１７を利用することで下挟持板３を取出口５２内に挿入し易くなる。
【００２１】
上挟持板５も可撓性を有する薄い板状の部材からなり、突起部が設けられていない点を除けば、下挟持板３と同じ形状、大きさからなる。下挟持板３と上挟持板５とは、開口部周縁部１９が接着されている。なお、開口部周縁部は、端部のみならず図２及び図３に示すように端部と端部近傍を含む。
【００２２】
このような下挟持板３及び上挟持板５は、ポリプロピレン樹脂などのプラスチック、シリコーンゴムなどのゴム、熱可塑性エラストマーを材料として簡単に製造することができる。ウェットティッシュ６０に薬剤が含浸させてある場合は、下挟持板３及び上挟持板５の材料は薬剤に耐性を有することが必要である。下挟持板３及び上挟持板５を芯材とその表面を覆うコーティング膜で構成し、コーティング膜のみ耐薬剤性を持たせるようにしてもよく、芯材の表面を合成樹脂フィルムで覆ってもよい。下挟持板３及び上挟持板５の厚さは、材料の硬さ、撓み具合により適宜選択すればよく、０．２〜１．０ｍｍ程度の厚さとすることができる。
【００２３】
この取付具１１を取出口５２に取付けるときは、下挟持板３のみを曲げ、下挟持板３を取出口５２内に挿入する。挿入された下挟持板３は、可撓性を有する部材からなるので元の形状に戻り、下挟持板３と上挟持板５とが取出口近傍の収納容器５０をしっかりと挟み込み取付具１１が固定される。下挟持板３と上挟持板５とは、開口部周縁部１９が接着されており、下挟持板３と上挟持板５との間には特に隙間は設けられていないので、取付具１１は収納容器５０に対して密着し、取付具１１と収納容器５０との気密性が十分に確保される。下挟持板３と上挟持板５は、開口部５２に比較して大きいので、収納容器５０との接触面積が広く、高い気密性が得られ、同時に取付けたときのぐらつきがなく安定した固定が得られる。取付具１１の収納容器５０に対する気密性を高めるためには、下挟持板３及び上挟持板５の大きさは大きいことが好ましいが、下挟持板３を大きくし過ぎると取出口５２への挿入が困難となるので、不必要に大きくすべきではない。
【００２４】
さらに下挟持板３には、中央部の開口部１３を囲むように薄く細い鉄板２１が埋めこまれ、上挟持板５には、平面視において下挟持板３の鉄板２１と同じ位置に薄く細い磁石２３が埋め込まれている。このように鉄板２１と磁石２３とを設けることで、取付具１１を取付けたとき、収納容器５０を挟み鉄板２１と磁石２３とが吸着するので、収納容器５０と取付具１１との気密性をより十分に高めることができる。本実施形態に示す取付具１１は、下挟持板３と上挟持板５とで収納容器５０をしっかりと挟み込むので、必ずしも磁石はなくてもよいが、磁石を使用することで気密性が高まり下挟持板３と上挟持板５の大きさを小さくすることができる。下挟持板３を小さくできれば、取付具１１を取付口５２に取付け易くなるので好ましい。また鉄板２１及び磁石２３はそれぞれ下挟持板３及び上挟持板５に埋めこまれているので、錆が発生することがなく好ましい。
【００２５】
鉄板２１と磁石２３とは磁力により互いを吸引する方法ゆえ、下挟持板３に磁石２３を、上挟持板５に鉄板２１を取付けてもよく、さらには下挟持板３、上挟持板５ともに磁石２３としてもよい。取付具１１は、収納容器５０に取付けると、ウェットティッシュ６０を使い切るまで取り外すことはないので、磁力が強くてもよい。下挟持板３に取付ける磁石２３又は鉄板２１を必要以上に大きくすると、下挟持板２３が曲がりにくくなり、取付口５２に取付けにくくなるので、必要以上に大きくすべきではない。
【００２６】
磁石２３には、ゴム磁石、プラスチック磁石を利用することも可能である。ゴム磁石は、磁石粉末とゴムとを混合し成形した磁石、プラスチック磁石は、磁石粉末とプラスチックとを混合し成型固化した磁石であり市販されている（例えばネオマグ株式会社）。このようなゴム磁石、プラスチック磁石を使用して下挟持板３及び／又は上挟持板５を製作すれば、磁石２３が埋め込まれた下挟持板３及び／又は上挟持板５を簡単に得ることができる。錆又は対薬剤性に対しては、必要に応じて表面をコーティングすればよい。下挟持板３及び／又は上挟持板５に鉄板２１を埋め込む代わりに、鉄粉とゴム、鉄粉とプラスチックとを混合した材料を使用してもよい。なお、磁石に吸着する材料であれば、鉄板でなくてもよい。
【００２７】
上記取付具１１の変形例として、鉄板２１と磁石２３とに代え、下挟持板３、上挟持板５に互いに嵌り込み係止する凸部と凹部とを設け、収納容器５０を間に凸部と凹部とで収納容器５０を挟み込み、取付具１１を取付けるようにしてもよい。この方法も気密性を保持し、しっかりと固定することができる。これにより下挟持板３と上挟持板５とを小さくすることができる。
【００２８】
フラップ７は、上挟持板５の開口部１３を開閉可能に覆う部材であり、上挟持板５と密着することで収納容器５０の気密性を保持する。取出口５２は、下挟持板３と上挟持板５とで取り囲まれているので、上挟持板５の開口部１３を覆うことで取出口５２も覆われる。フラップ７は、連結具９を介して上挟持板５と連結し連結具９を中心に回動し、開口部１３を開閉する。フラップ７は、可撓性を有する薄い板状の部材からなり、大略的には上挟持板５と同じ大きさ、外形であり、連結具９が連結する端部と反対側の端部に下挟持板３に設けられた突起部１５よりも小さい突起部２５が設けられている。この突起部２５はフラップ７を開くときの取手の役目を果たす。
【００２９】
フラップ７は、ポリプロピレン樹脂などのプラスチック、シリコーンゴムなどのゴム、熱可塑性エラストマーを材料として簡単に得ることができる。ウェットティッシュ６０に薬剤が含浸させてある場合は、フラップ７は薬剤に耐性を有することが必要である。フラップ７は、芯材とその表面を覆うコーティング膜で構成し、コーティング膜のみ耐薬剤性を持たせるようにしてもよく、芯材の表面をフィルムで覆ってもよい。この点は、上記下挟持板３、上挟持板５と同様である。
【００３０】
さらにフラップ７は、平面視において上挟持板５の磁石２３と同じ位置に薄く磁石２３よりも幅広い鉄板２７が埋め込まれている。これによりフラップ７を上挟持板５を覆うように閉じると、フラップ７に埋め込まれた鉄板２７と上挟持板５に埋め込まれた磁石２３とが吸着し、開口部１３を密閉することができる。鉄板２７の幅は磁石２３と同一でもよいが、鉄板２７の幅を広くすることで、フラップ７を閉めたときの位置が、上挟持板５に対して多少ずれても、取出口５２を密閉することができる。フラップ７を開くときは、突起部２５を持ち上げればよい。本実施形態では、フラップ７と上挟持板５とを磁力により密着させるので、閉じるときもフラップ７を上挟持板５に押し付ける必要がなく、取出口５２の密閉を簡単かつ確実に行うことができる。さらに粘着剤と異なり何度使用しても気密性が低下しないので、取出口５２のカバーとして好ましい。
【００３１】
フラップ７側に磁石を設けてもよいこと、フラップ７と上挟持体５との両方に磁石を設けてもよいことは、先の取付具１１と同じである。ゴム磁石、プラスチック磁石を使用してフラップ７自体を製作してもよいことを含め、製作要領も先の取付具１１と同じ要領で製作することができる。
【００３２】
連結具９は、柔軟性を有する２つの細く薄い帯状の部材からなり、フラップ７の長手方向の一端部２９と上挟持板５の長手方向の一端部３１とを連結する。連結具９は、フラップ７を閉めたとき、フラップ７と上挟持板５とがぴったりと重なり合うように、フラップ７が上挟持板５に対し前後左右に大きくずれることなくフラップ７を回動させる。連結具９は、ウェットティッシュ６０に含浸された薬剤に直接接触することがないので、必ずしも耐薬剤性を考慮する必要はないが、フラップ７及び上挟持板５と同じ材料を使用し、これらを一体的に形成すれば容易に又安価に製造することができる。なお、連結具９は、フラップ７を回動自在に上挟持板５に連結できれば他の構造であってもよい。
【００３３】
上記に示すように本発明に係る取出口カバーは、使い捨てウェットティッシュ収納容器に設けられている粘着剤を使用した開閉フラップを取り去り、代わりに取付け使用することができる。構造が簡単で取付けも容易であり、ウェットティッシュを使い切った後は、取り外し別の使い捨てウェットティッシュ収納容器に使用することができるので、経済的である。使い捨てウェットティッシュ収納容器も特別のものである必要はなく、汚れ落とし、あかちゃんのおしり拭きなど市販されている幅広いウェットティッシュ収納容器に使用することができる。また取出口カバーは厚さが薄く、ウェットティッシュ収納容器の外に位置する部分の厚さを０．４〜２ｍｍ程度とすることも十分に可能であり、取出口カバーを取付けた使い捨てウェットティッシュ収納容器をかばんに入れて携行するとき、取出口カバーがじゃまとならず便利である。
【００３４】
上記実施形態では、取付具を構成する下挟持板と上挟持板とはほぼ同じ大きさ、形状を有する例を示したが、下挟持板と上挟持板とは必ずしも同じ形状、大きさでなくてもよい。取付具をウェットティッシュの取出口にしっかりと密着固定でき、気密性に優れ、さらに取り付けが容易であれば、下挟持板及び上挟持板の形状、大きさは特に限定されない。安価で製作容易な取付具であることが好ましい。また、フラップも上挟持板と密着し取出口を密閉できれば、上挟持板と必ずしも同じ形状、大きさでなくてもよい。例えば、鉄板又は磁石の位置を上挟持板の磁石の位置と同じとし又はフラップ自身をゴム磁石で製作することで、外形をハート型としてもよい。このようにすれば見た目もよく、さらにフラップの表面に花柄模様等を入れれば気持ちよく使用することができる。また上記実施形態では、長穴形状の取出口を示したが、取出口の形状が特定の形状に限定されないことは言うまでもない。なお、本発明に係る取出口カバーは、使い捨てのウェットティッシュの収納容器のみならず、取出口を備える他の収容容器にも使用できる。
【符号の説明】
【００３５】
１  ウェットティッシュ収納容器の取出口カバー
３  下挟持板
５  上挟持板
７  フラップ
９  連結具
１１  取付具
１３  開口部
１９  開口部周縁部
２１  鉄板
２３  磁石
２７  鉄板
２９  フラップの長手方向の一端部
３１  上挟持板の長手方向の一端部
５０  使い捨てウェットティッシュ収納容器
５２  取出口
５４  ウェットティッシュ収納容器の上面
６０  ウェットティッシュ
【図１】
2011111195.tif 000003
【図２】
2011111195.tif 000004
【図３】
2011111195.tif 000005